(57)【要約】【課題】  本発明は、各種電気器具類の所定位置に環境改善シートを貼着することで、その電気器具類の抵抗値を下げて、そこに流れる電流（直流/交流）を増幅させ、最終的に電気器具類の機能を高めるという省エネにつながる電流を増幅する環境改善シート及び環境改善シートシステムを提供すること。【解決手段】  配電盤ブレーカー及び漏電遮断機と、電気器具のコードの各位置に貼着される厚さ寸法１〜３ミリメートル、表面積９〜４００平方センチメートルの可撓性貼着シートにおいて、可撓性貼着シートは天然鉱石パウダーと合成ゴム・合成樹脂材料との混錬物で構成され、天然鉱石パウダーは、ブラックシリカ、セラストーン、千枚岩、オネガ石、医王石、ゲルマニウム鉱石、チタン、ジルコニウム、ラジウム鉱石、水晶、貝化石で構成され、合成ゴム・合成樹脂材料は、ＮＢＲ（合成ゴム）、ポリエチレン、ゼオライトで構成される。【選択図】図１
2012110837.tif 000002
【特許請求の範囲】
【請求項１】
配電盤ブレーカー及び漏電遮断機と、電気器具のコードの各位置に貼着される厚さ寸法１〜３ミリメートル、表面積９〜４００平方センチメートルの可撓性貼着シートであって、
可撓性貼着シートは天然鉱石パウダーと合成ゴム・合成樹脂材料との混錬物で構成され、
天然鉱石パウダーは、粒径０．５〜５０ミクロンの天然鉱石パウダーであり、その内訳は、ブラックシリカ０．５〜３重量％、セラストーン３〜１０重量％、千枚岩２〜５重量％、オネガ石３〜８重量％、医王石２〜５重量％、ゲルマニウム鉱石０．５〜２重量％、チタン０．５〜２重量％、ジルコニウム０．５〜５重量％、ラジウム鉱石１〜５重量％、水晶０．３〜２重量％、貝化石１〜３重量％で構成され、
合成ゴム・合成樹脂材料は、ＮＢＲ（合成ゴム）２０〜３５重量％、ポリエチレン１０〜１５重量％、ハイトロン５〜１５重量％、ゼオライト２０〜３０重量％で構成されることを特徴とする電流を増幅する環境改善シート。
【請求項２】
配電盤ブレーカー及び漏電遮断機と、電気器具のコードの各位置に、厚さ寸法１〜３ミリメートル、表面積９〜４００平方センチメートルの可撓性貼着シートを貼着するようにした電流を増幅する環境改善シートシステムにおいて、
可撓性貼着シートは天然鉱石パウダーと合成ゴム・合成樹脂材料との混錬物で構成され、
天然鉱石パウダーは、粒径０．５〜５０ミクロンの天然鉱石パウダーであり、その内訳は、ブラックシリカ０．５〜３重量％、セラストーン３〜１０重量％、千枚岩２〜５重量％、オネガ石３〜８重量％、医王石２〜５重量％、ゲルマニウム鉱石０．５〜２重量％、チタン０．５〜２重量％、ジルコニウム０．５〜５重量％、ラジウム鉱石１〜５重量％、水晶０．３〜２重量％、貝化石１〜３重量％で構成され、
合成ゴム・合成樹脂材料は、ＮＢＲ（合成ゴム）２０〜３５重量％、ポリエチレン１０〜１５重量％、ハイトロン５〜１５重量％、ゼオライト２０〜３０重量％で構成されることを特徴とする電流を増幅する環境改善シートシステム。
【請求項３】
可撓性貼着シートは、一辺の寸法が３〜２０センチメートルのカード型形状又は直径寸法が６〜１２センチメートルの円型形状のいずれかであることを特徴とする請求項１記載の電流を増幅する環境改善シート。
【請求項４】
可撓性貼着シートは、一辺の寸法が３〜２０センチメートルのカード型形状又は直径寸法が６〜１２センチメートルの円型形状のいずれかであることを特徴とする請求項２記載の電流を増幅する環境改善シートシステム。
【請求項５】
可撓性貼着シートは、背面側に両面テープを配設したものであることを特徴とする請求項１又は３記載の電流を増幅する環境改善シート。
【請求項６】
可撓性貼着シートは、背面側に両面テープを配設したものであることを特徴とする請求項１又は３記載の電流を増幅する環境改善シートシステム。
【発明の詳細な説明】
【技術分野】
【０００１】
本発明は、電流を増幅する環境改善シート及び環境改善シートシステムに関し、さらに詳しくは、各種電気器具類の所定位置に本発明の環境改善シートを貼着することで、その電気器具類の抵抗値を下げて、そこに流れる電流（直流/交流）を増幅させ、最終的に電気器具類の機能を高めるという省エネにつながる電流を増幅する環境改善シート及び環境改善シートシステムに関するものである。
【背景技術】
【０００２】
世の中には電気（電力）をエネルギー源としたテレビジョン受像機、冷凍庫、冷蔵庫、揚げ物機、照明器具、エアコン等、各種の電気器具類が存在しているが、それぞれの電気器具は予め定められた使用方法に従って利用されている。
しかしながら、上記した各種電気器具類は製造時の製品構造や性能を変えることなく、製品構造や性能をそのまま保持した状態で使用されることから、電源電圧が同条件であれば当然のことながらこれら電気器具類に流れる電流は製造段階で計算された結果通りとなるものであった。
【先行技術文献】
【特許文献】
【０００３】
【特許文献１】実用新案登録第３０９５２３８号公報
【特許文献２】実開昭６４−２８０７２号公報
【発明の概要】
【発明が解決しようとする課題】
【０００４】
上記に説明した従来の各種電気器具類は、上記の使用状態下では、初期の目的の範囲内で使用する限りは、特に不便を感ずることは無いが、初期の目的以上のエネルギー効率を求める要望に対しては、十分に応え切れないという現実があった。
その結果、エネルギー資源の無駄使いなどの問題が発生し、地球温暖化の問題なども解決できないという課題が残されていた。
【０００５】
本発明は、このような事情に鑑みて開発された省エネにつながる電流を増幅する環境改善シート及び環境改善シートシステムを提供して、上記のすべての問題点を一挙に解決せんとするものである。
【課題を解決するための手段】
【０００６】
本発明に係る電流を増幅する環境改善シートの請求項１のものは、
配電盤ブレーカー及び漏電遮断機と、電気器具のコードの各位置に貼着される厚さ寸法１〜３ミリメートル、表面積９〜４００平方センチメートルの可撓性貼着シートであって、
可撓性貼着シートは天然鉱石パウダーと合成ゴム・合成樹脂材料との混錬物で構成され、
天然鉱石パウダーは、粒径０．５〜５０ミクロンの天然鉱石パウダーであり、その内訳は、ブラックシリカ０．５〜３重量％、セラストーン３〜１０重量％、千枚岩２〜５重量％、オネガ石３〜８重量％、医王石２〜５重量％、ゲルマニウム鉱石０．５〜２重量％、チタン０．５〜２重量％、ジルコニウム０．５〜５重量％、ラジウム鉱石１〜５重量％、水晶０．３〜２重量％、貝化石１〜３重量％で構成され、
合成ゴム・合成樹脂材料は、ＮＢＲ（合成ゴム）２０〜３５重量％、ポリエチレン１０〜１５重量％、ハイトロン５〜１５重量％、ゼオライト２０〜３０重量％で構成されることを特徴とする電流を増幅する環境改善シートである。
【０００７】
本発明に係る電流を増幅する環境改善シートシステムの請求項２のものは、
配電盤ブレーカー及び漏電遮断機と、電気器具のコードの各位置に、厚さ寸法１〜３ミリメートル、表面積９〜４００平方センチメートルの可撓性貼着シートを貼着するようにした電流を増幅する環境改善シートシステムにおいて、
可撓性貼着シートは天然鉱石パウダーと合成ゴム・合成樹脂材料との混錬物で構成され、
天然鉱石パウダーは、粒径０．５〜５０ミクロンの天然鉱石パウダーであり、その内訳は、ブラックシリカ０．５〜３重量％、セラストーン３〜１０重量％、千枚岩２〜５重量％、オネガ石３〜８重量％、医王石２〜５重量％、ゲルマニウム鉱石０．５〜２重量％、チタン０．５〜２重量％、ジルコニウム０．５〜５重量％、ラジウム鉱石１〜５重量％、水晶０．３〜２重量％、貝化石１〜３重量％で構成され、
合成ゴム・合成樹脂材料は、ＮＢＲ（合成ゴム）２０〜３５重量％、ポリエチレン１０〜１５重量％、ハイトロン５〜１５重量％、ゼオライト２０〜３０重量％で構成されることを特徴とする電流を増幅する環境改善シートシステムである。
【０００８】
請求項３のものは、可撓性貼着シートは、一辺の寸法が３〜２０センチメートルのカード型形状又は直径寸法が６〜１２センチメートルの円型形状のいずれかであることを特徴とする請求項１記載の電流を増幅する環境改善シートである。
【０００９】
請求項４のものは、可撓性貼着シートは、一辺の寸法が３〜２０センチメートルのカード型形状又は直径寸法が６〜１２センチメートルの円型形状のいずれかであることを特徴とする請求項２記載の電流を増幅する環境改善シートシステムである。
【００１０】
請求項５のものは、可撓性貼着シートは、背面側に両面テープを配設したものであることを特徴とする請求項１又は３記載の電流を増幅する環境改善シートである。
【００１１】
請求項６のものは、可撓性貼着シートは、背面側に両面テープを配設したものであることを特徴とする請求項１又は３記載の電流を増幅する環境改善シートシステムである。
【発明の効果】
【００１２】
本発明に係る請求項１及び２記載の電流を増幅する環境改善シート及び環境改善シートシステムは、可撓性貼着シートから発せられる微量放射線、マイナスイオン、遠赤外線、黒体放射、テラヘルツ放射などの放射エネルギー（光量子エネルギー）により、目的とする電気機器類の電気抵抗値が軽減され、電気伝導率が高まることで電流が増幅し、電気機器類は機能が高められ省エネにつながる効果がある。
【００１３】
本発明に係る請求項３及び４記載の電流を増幅する環境改善シート及び環境改善シートシステムは、可撓性粘着シートを扱い易い大きさのカード型形状又は円型形状としたので、可撓性粘着シートを目的の貼着位置に容易にセットできるという効果がある。
【００１４】
本発明に係る請求項５及び６記載の電流を増幅する環境改善シート及び環境改善シートシステムは、可撓性粘着シートの背面側に両面テープを配設したため、その両面テープを利用して可撓性粘着シートを目的の貼着位置に容易にセットできるという効果がある。
【図面の簡単な説明】
【００１５】
【図１】本発明にかかる可撓性貼着シートの、実際の貼着位置例を示す模式図である。
【図２】本発明にかかる可撓性貼着シートの、実際の貼着位置例を示す他の模式図である。
【発明を実施するための形態】
【００１６】
以下、図面を参照して本発明の電流を増幅する環境改善シート及び環境改善シートシステムの実施の形態を説明するが、本発明はこれらの実施の形態に制限されるものではない。
【００１７】
本発明で使用される可撓性貼着シート１は、テレビジョン受像機、冷凍庫、冷蔵庫、揚げ物機、照明器具、エアコン等、各種の電気器具２のコード３と、その電気器具２に通電するための配電盤ブレーカー４及び漏電遮断機５に貼着されるもので、コード３への貼着位置は、コード３におけるプラグ６装着位置から離れた位置(電気器具２の本体に近い位置)が好ましい。また符号７は、電源側ケーブル、８は配線側ケーブルである。
上記の配電盤ブレーカー４及び漏電遮断機５は、３相―２００Ｖの場合でも、単相―１００Ｖの場合でも、いずれにも対応できる。
図１は、上記説明の貼着位置に、可撓性貼着シート１を貼着した例を示している。
【００１８】
また配電盤ブレーカー４には３箇所(図１の例では２箇所が明示されているが、図示されていない左側面にも可撓性貼着シート１が貼着されている)、さらに漏電遮断機５には２箇所に可撓性貼着シート１が貼着されている。
なお、漏電遮断機５において図１の貼着位置(２箇所)に代えて、図２に示す貼着位置(正面又は側面の何れか１箇所)に変更して貼着することも可能である。
【００１９】
この可撓性貼着シート１は、全体の厚さ寸法は１〜３ミリメートルであり、可撓性があり、目的の貼着位置に適宜の粘着手段で取り外し自在に取り付けられるものである。
その大きさ及び形状は自由に選択できるが、好ましくはカード型形状及び丸型形状であり、その場合の一辺の大きさは３〜２０センチメートル程度、また直径６〜１２センチメートル程度が好適である。
【００２０】
また粘着手段としては、一例として離型紙つきの両面テープ（図示しない）を利用することが好ましく、実際の貼着の直前にその離型紙を剥がして目的の部位に両面テープを介して可撓性貼着シート１を貼着することとなる。
【００２１】
つぎに可撓性貼着シート１の構成を説明する。
可撓性貼着シート１は、天然鉱石パウダーと合成ゴム・合成樹脂材料との混錬物であり、各材料を熱溶融させた状態で混練し、それを冷却させて可撓性を有するシートに形成したものである。
【００２２】
具体的構成としては、まず粒径０．５〜５０ミクロンの天然鉱石パウダーが使用され、可撓性貼着シート１の全重量を１００％（天然鉱石パウダーと合成ゴム・合成樹脂材料を含む）とした場合に、以下の重量構成比で充填されている。
【００２３】
すなわち、ブラックシリカは０．５〜３重量％、セラストーンは３〜１０重量％、千枚岩は２〜５重量％、オネガ石は３〜８重量％、医王石は２〜５重量％、ゲルマニウム鉱石は０．５〜２重量％、チタンは０．５〜２重量％、ジルコニウムは０．５〜５重量％、ラジウム鉱石は１〜５重量％、水晶は０．３〜２重量％、貝化石は１〜３重量％である。
【００２４】
また上記の天然鉱石パウダーを保持するための可撓性貼着シート１の、基板となるべき材料としては、合成ゴム・合成樹脂材料が使用され、可撓性貼着シート１の全重量を１００％（天然鉱石パウダーと合成ゴム・合成樹脂材料を含む）とした場合に、以下の重量構成比で充填されている。
【００２５】
すなわち、ＮＢＲ（合成ゴム）は２０〜３５重量％、ポリエチレンは１０〜１５重量％、ハイトロンは５〜１５重量％、ゼオライトは２０〜３０重量％である。
【実施例】
【００２６】
以下に本発明にかかる環境改善シート及び環境改善シートシステムを実施例に基づいてより具体的に説明するが、本発明はこれらに限定されるものではない。
【実施例１】
【００２７】
粒径２０ミクロンの天然鉱石パウダー３キログラムを、合成ゴム・合成樹脂材料７キログラム中に混合し、ニーダーを利用して５分間撹拌混練し、ついで１２０℃の温度下で５分間撹拌混練した後、二本のゴムロール間にその混錬物を送り込んで１０ミリメートル厚のシート体を形成し、さらにそのシート体を１２０℃に加温して再度二本のゴムロール間に送り込んで２ミリメートル厚の最終シート体を得た。
【００２８】
この最終シート体から、一辺が７×９センチメートルのカード型形状の可撓性貼着シート１を得た。
【００２９】
なお、天然鉱石パウダーの内訳は下記の通りである。
１．     
ブラックシリカ      ２００グラム
２．     
セラストーン        ６００グラム
３．     
千枚岩              ２５０グラム
４．     
オネガ石            ４５０グラム
５．     
医王石              ３００グラム
６．     
ゲルマニウム鉱石    １５０グラム
７．     
チタン              １５０グラム
８．     
ジルコニウム        ３００グラム
９．     
ラジウム鉱石        ３００グラム
１０．水晶                １００グラム
１１．貝化石              ２００グラム
【００３０】
また、合成ゴム・合成樹脂材料の内訳は下記の通りである。
１２．ＮＢＲ（合成ゴム）２８００グラム
１３．ポリエチレン      １０００グラム
１４．ハイトロン          ７００グラム
１５．ゼオライト        ２５００グラム
【００３１】
本発明の可撓性貼着シート１を、テレビジョン受像機、冷凍庫、冷蔵庫、揚げ物機、照明器具、エアコン等、各種の電気器具２のコード３(電気器具２の本体に近い位置)と、その電気器具２に通電するための配電盤ブレーカー４及び漏電遮断機５に、図１及び図２に示すような状態で貼着した結果を、貼着前の状態と比較して下記に示す。
【００３２】
（１）貼着の前後を比較して、貼着後は冷凍庫／冷蔵庫に「霜」がつきにくくなり、冷凍／冷蔵能力が高まり省エネ効果が確認された。
（２）エアコンの場合、温度設定が温／冷の目的温度より、１０−１５％の範囲で上下させても能力を発揮した。冷媒のメカニズムは１馬力―８６０ｋｃａｌがエネルギー定義となっている。
すなわち、設定温度を２５度設定とした場合、エアコンに備えた冷却板は１５度の温度を示し、この温度の冷却板に送風される空気の環境で室内温度は２５度に冷却される。
ここで可撓性貼着シート１をコード３、配電盤ブレーカー４及び漏電遮断機５に貼着した場合には、可撓性貼着シート１から放出されるエネルギーにより、冷却板の温度は１５度よりさらに５度低くなった。
この温度低下は、エアコンに送られる電気（電子、電流）が多く流れ、仕事率が高まる結果である。電気（電子）が多く流れる理由は、ベーター電子の活性化／励起現象による。
（３）揚げ物機の場合、可撓性貼着シート１をコード３、配電盤ブレーカー４及び漏電遮断機５に貼着した場合には、可撓性貼着シート１を貼着する前の設定温度より１０−１５％低く設定しても、可撓性貼着シート１を貼着する前と同じ揚げ物が完成した。同様に、焼き物機の温度を１０−１５％低く設定しても、美味しく焼き上がり、貼着前と比較して品質が高まり（ふっくら感、大きく焼ける３０−４０％大きい）、優れた効果が得られた。
（４）照明器具の場合、可撓性貼着シート１をコード３、配電盤ブレーカー４及び漏電遮断機５に貼着した場合には、貼着前と比較して店内の照明が明るくなり、天井より直下方に１００ｃｍ離れた場所で計測した輝度が２７％上昇した（１９２０ルクス→２４８０ルクス）。
（５）テレビジョン受像機の場合、可撓性貼着シート１をコード３、配電盤ブレーカー４及び漏電遮断機５に貼着した場合には、貼着前と比較して画面が鮮明になり、目の疲労度が少なくなった。
【００３３】
上記の効果は、抵抗値の低下と電流の増幅によって電気器具の機能が高められたことによる。
すなわち、上記の効果は特定天然鉱石に微量のベーター線を放射する素材を練り込み、そこから発生する放射エネルギーを遠赤外線、黒体炉、テラヘルツ波、マイナスイオン等が複合増幅されたことで、複合放射エネルギーの総合作用がベーター線の（電子）放射作用を付加させて電流（電子）を活性化させ、結果として電流を多く流す現象が起きたことによる。
【産業上の利用可能性】
【００３４】
本発明によれば、各種の電気器具を製造し、また使用する業界において利用することができる。
【符号の説明】
【００３５】
１    可撓性貼着シート
２    電気器具
３    コード
４    配電盤ブレーカー
５    漏電遮断機
６    プラグ
７    電源側ケーブル
８    配線側ケーブル
【図１】
2012110837.tif 000003
【図２】
2012110837.tif 000004